(57)【特許請求の範囲】
【請求項１】
被選別物質が投入される選別室と、前記選別室の下方に位置する脈動室と、前記選別室と前記脈動室との間に位置する網目と、前記選別室に設けられ、被回収物質が排出される排出口と、前記排出口に隣接して配置され、被回収物質が外部に排出される際の経路となる排出路と、前記排出路の上方に位置し、被回収物質以外の被選別物質を回収するための回収口とを備えた網下気室型湿式比重選別機であって、
前記回収口の下端の位置を調節するための可動式排出テーブルを更に備え、前記可動式排出テーブルが、前記排出路の頂壁の上端に設けられたヒンジに回転可能に取り付けられた板状部材の形態を有するものであることを特徴とする比重選別機。
【請求項２】
前記回収口の上端の位置を定めるための補助板が配置されていることを特徴とする請求項１に記載された比重選別機。
【発明の詳細な説明】
【技術分野】
【０００１】
本発明は一般に、網下気室型湿式比重選別機に関する。より詳細には、本発明は、軽比重物質の回収量の制御を可能にした網下気室型湿式比重選別機に関する。
【背景技術】
【０００２】
混在した複数の物質の中から特定の物質を選択的に回収する機械として、網下気室型湿式比重選別機が知られている。網下気室型湿式比重選別機は、選別しようとする物質（以下「被選別物質」という）が入れられる選別室が上方に、水が充填される脈動室が下方に位置し、選別室と脈動室との間に網目が配置されている。脈動室内には、空気を入／出させる空気室が配置されており、空気室内の水位を空気の入／出によって昇降させることにより、選別室内の水位を昇降させることができるようになっている。そして、選別室に入れた物質に適切な水の脈動を与えることによって、選別室内に比重別の物質の層が形成されるように構成されている（図５参照）。
【０００３】
網下気室型湿式比重選別機においては通常、成層化された物質のうち最下層の物質が回収しようとする物質（以下「被回収物質」という）になるが、被回収物質は、選別室の下部に設けた排出口から排出路を介して外部に回収されるようになっている。一方、被選別物質のうちから被回収物質を除いた物質（以下「軽比重物質」という）は、排出路の上方に位置する回収口から、排出路の上端を越流するオーバーフロー水とともに、比重選別機の外部に排出されるようになっている。
【発明の開示】
【発明が解決しようとする課題】
【０００４】
しかしながら、従来の網下気室型湿式比重選別機では、軽比重物質の排出量は、オーバーフロー水（従って、脈動の大小）に左右されるという課題があった。すなわち、大きな脈動が必要とされる場合であっても軽比重物質の排出量が少なくともよいことがある一方、脈動を小さくしなければならない場合であっても多量の軽比重物質を排出するのが好ましいこともある。
【０００５】
本発明は、このような事情に鑑みて案出されたものであって、軽比重物質の回収量の制御を可能にする網下気室型湿式比重選別機を提供することを目的としている。
【課題を解決するための手段】
【０００６】
本願請求項１に記載の、被選別物質が投入される選別室と、前記選別室の下方に位置する脈動室と、前記選別室と前記脈動室との間に位置する網目と、前記選別室に設けられ、被回収物質が排出される排出口と、前記排出口に隣接して配置され、被回収物質が外部に排出される際の経路となる排出路と、前記排出路の上方に位置し、被回収物質以外の被選別物質を回収するための回収口とを備えた網下気室型湿式比重選別機は、前記回収口の下端の位置を調節するための可動式排出テーブルを更に備え、前記可動式排出テーブルが、前記排出路の頂壁の上端に設けられたヒンジに回転可能に取り付けられた板状部材の形態を有するものであることを特徴とするものである。
【０００８】
本願請求項２に記載の網下気室型湿式比重選別機は、前記請求項１の選別機において、前記回収口の上端の位置を定めるための補助板が配置されていることを特徴とするものである。
【発明の効果】
【０００９】
本発明の網下気室型湿式比重選別機によれば、軽比重物質の回収量の制御を容易に行うことができる。
【発明を実施するための最良の形態】
【００１０】
次に図面を参照して、本発明の好ましい実施の形態に係る網下気室型湿式比重選別機について詳細に説明する。図１において全体として参照符号１０で示される本発明の好ましい実施の形態に係る網下気室型湿式比重選別機は、被選別物質が投入される選別室１２と、選別媒体（例えば水）が充填される脈動室１４と、選別室１２と脈動室１４との間に配置される網目１６とを備えている。
【００１１】
選別室１２の一方の側の上部には、被選別物質が投入される投入口１２ａが設けられ、選別室１２の他方の側の下部には、被回収物質が排出される排出口１２ｂが設けられている。そして、排出口１２ｂに隣接して、被回収物質が外部に排出される際の経路となる排出路１８が配置され、排出路１８内に、被回収物質を排出させるためのエジェクタ１８ａが配置されている。一方、被回収物質以外の被選別物質（すなわち、投入口１２ａに投入された被選別物質から、排出口１２ｂから回収された被回収物質を除いた物質）は、排出路１２ｂの上方に位置する回収口１２ｃから回収されるが、これらの物質が選別室１２から回収口１２ｃに移動し易いように、排出路１８の頂壁１８ｂは、回収口１２ｃに向かって下方に傾斜している。
【００１２】
エジェクタ１８ａは、シャフトに複数枚（図１では４枚）のブレードが取り付けられた形態を有しており、シャフトに連結されたモータ（図示せず）を回転駆動させることによってブレードを回転させ、これにより排出口１２ｂ付近に位置する被回収物質を排出路１８を介して排出させるようになっている。
【００１３】
網下気室型湿式比重選別機１０は又、選別室１２内の回収口１２ｃに設けられた可動式排出テーブル２０を備えている。可動式排出テーブル２０は、排出路１８の頂壁１８ｂの上端に設けられたヒンジ２０ａに回転可能に取り付けられた板状部材の形態を有しており、可動式排出テーブル２０を上下に回転させることにより、回収口１２ｃの下端１２ｃ１を所望の高さに位置決めすることができるようになっている。
【００１４】
好ましくは、回収口１２ｃの上端１２ｃ２を定めるための補助板２２を配置してもよい（図４参照）。補助板２２を配置することにより、被選別物質の上面より上方に必要な脈動水の層を形成することができる。
【００１５】
次に、図３を参照して、以上のように構成された網下気室型湿式比重選別機１０の作動について説明する。物質Ａ（比重γA 、図３で「○」で図示）と物質Ｂ（比重γB ＜γA、図３で「△」で図示、「軽比重物質」となる）とから構成される物質（Ａ＋Ｂ）を取り扱う場合を例にとる。
【００１６】
まず最初に、選別室内に物質（Ａ＋Ｂ）を投入し、脈動を開始すると、物質（Ａ＋Ｂ）は、比重差により次第に分離し、比重の重い物質Ａ「○」が下層を、比重の軽い物質Ｂ「△」が上層を構成するように成層化する。このようにして成層化された物質のうち、物質Ａは、エジェクタ１８ａを作動させて排出口１２ｂから排出路１８を経由して外部に排出される。一方、選別室内の上層に位置する軽比重物質Ｂは、回収口１２ｃからオーバーフロー水とともに外部に排出される。この際、可動式排出テーブル２０を上下に回転させることより、軽比重物質Ｂの排出量を所望のように調節することができる。すなわち、たとえば、回収口１２ｃの下端１２ｃ１が水位上限ＷU と水位下限ＷL との間の高さに位置するように可動式排出テーブル２０を回転させると、一定量の軽比重物質Ｂが回収口１２ｃから排出され（図３（ａ）参照）、回収口１２ｃの下端１２ｃ１が水位上限ＷU の上方の高さに位置するように可動式排出テーブル２０を回転させると、軽比重物Ｂは排出されないこととなる（図３（ｂ）参照）。
【００１７】
本発明は、以上の発明の実施の形態に限定されることなく、特許請求の範囲に記載された発明の範囲内で、種々の変更が可能であり、それらも本発明の範囲内に包含されるものであることはいうまでもない。
【００１８】
例えば、前記実施の形態では、、単一の選別室をもつ比重選別機について説明されているが、複数の選別室が直列に連結された比重選別機の回収口に可動式排出テーブルをそれぞれ設けてもよい（その場合には、回収口が次位の選別機の投入口と連結している）。
【図面の簡単な説明】
【００１９】
【図１】本発明の好ましい実施の形態に係る網下気室型湿式比重選別機を模式的に示した斜視図である。
【図２】図１の部分２の拡大図である。
【図３】図１の網下気室型湿式比重選別機の作動を説明するための図である。
【図４】回収口に補助板が設けられている変形例を示した図である。
【図５】網下気室型湿式比重選別機の動作原理を説明するための図である。
【符号の説明】
【００２０】
１０  網下気室型湿式比重選別機
１２  選別室
１２ｃ  回収口
１２ｃ１  回収口の下端
１２ｃ２  回収口の上端
１４  脈動室
１６  網目
１８  排出路
１８ａ  エジェクタ
２０  可動式排出テーブル
２０ａ  ヒンジ
２２  補助板
【図１】
0005067760.tif 000002
【図２】
0005067760.tif 000003
【図３】
0005067760.tif 000004
【図４】
0005067760.tif 000005
【図５】
0005067760.tif 000006